(57)【要約】【課題】製造容易で、且つ表面剥離の虞が無い遮音被膜を備えた遮音耐火二層管を提供する。【解決手段】合成樹脂製内管１に、別に製造した繊維混入モルタル製外管２を外装し、前記内管１と外管２のスライド阻止の処置を施した状態のまま長尺物樹脂被覆装置４に送り込み、当該装置で連続的に外管全周に所定の遮音被膜を形成し、前記装置から送出される遮音被膜を備えた管を冷却し、連続的に外管全長全周表面に遮音被覆層３を一体形成して遮音耐火二層管を製出する。【選択図】図１
2017190833.tif 000002
【特許請求の範囲】
【請求項１】
合成樹脂製内管と繊維混入モルタル製外管で構成される耐火二層管において、外管表面全周に継ぎ目なしで外管と一体化した遮音被覆層を設けてなることを特徴とする遮音耐火二層管。
【請求項２】
遮音被覆層が単一遮音層で構成してなる請求項１記載の遮音耐火二層管。
【請求項３】
遮音被覆層が下部吸音層と上部遮音層の二重被覆層で構成してなる請求項１記載の遮音耐火二層管。
【請求項４】
単体一遮音層又は上部遮音層が、０．５〜３ｍｍ厚で硫酸バリウム及び炭酸カルシュウムを遮音主材とし、ポリ塩化ビニールに適宜な可塑剤及び潤滑剤等を混合して形成した請求項２又は３記載の遮音耐火二層管。
【請求項５】
単体一遮音層又は上部遮音層が、重量比で硫酸バリウム５２±５％、炭酸カルシュウム２２±５％、ポリ塩化ビニール１３±２％、可塑剤８±２％、その他繋剤、潤滑剤、安定剤、顔料を各３〜０．５％混合して形成したものである請求項４記載の遮音耐火二層管。
【請求項６】
下部吸音層が吸音性樹脂で形成されている請求項３乃至５記載の何れかの遮音耐火二層管。
【請求項７】
合成樹脂製内管に、別に製造した繊維混入モルタル製外管を被冠外装して二重管とし、前記内管と外管との間にスライド移動阻止の処置を施した状態のまま長尺物樹脂被覆装置に送り込み、当該装置を使用して外管全周に単一遮音層又は下部吸音層と上部遮音層の二重被覆層からなる遮音被膜層を連続的に形成し、遮音被膜層が施された管を冷却して前記遮音被膜層を完全に硬化させて、外管全長全周表面に遮音被膜層を一体形成してなる遮音耐火二層管の製造方法。
【請求項８】
遮音被膜層を構成する遮音層が、硫酸バリウム及び炭酸カルシュウムを遮音主材とし、ポリ塩化ビニールに適宜な可塑剤及び潤滑剤等を混合したものであり、被覆厚さを０．５〜３ｍｍとしてなる請求項７記載の遮音耐火二層管の製造方法。
【発明の詳細な説明】
【技術分野】
【０００１】
本発明は、遮音耐火二層管及びその製造方法に関するものである。
【背景技術】
【０００２】
中高層住宅等の排水管として、硬質塩ビ内管と繊維混入モルタル製外管で構成した耐火二層管が知られている。この耐火二層管に対して排水音の漏洩を低減する遮音機能を付与することが従前より提案されている。
【０００３】
遮音機能の付与構成は、内外管の間に遮音材を介在させる手段（特許文献１）と、外管の外周に設ける手段（特許文献２）が知られている。
【先行技術文献】
【特許文献】
【０００４】
【特許文献１】特開２０１２−１７２８４０号公報。
【特許文献２】特開２００６−８４０１６号公報。
【発明の概要】
【発明が解決しようとする課題】
【０００５】
特許文献１に開示されている内外管の間に筒状遮音材を設ける構成では、内管にシート状遮音材を捲装した後に外管を外挿する必要があり、製造が煩瑣であり、従前の耐火二層管のような設置工事に際しての内外管の長さ調整作業が容易に行うことができない。また特許文献２に開示されている外管外周に遮音シートを捲装する構成では、捲装に際してやはりシートの重なり部分が必要であり外観上段差になり易く、表面アルミ被膜のみを重ね合わせる構造では製造上の精密さが要求され、やはり製造が煩瑣である。而も設置工事に際してシート端が露出しているので、工事作業中に剥離する虞もある。
【０００６】
そこで本発明は、遮音機能付与にシート構造を採用しない新規な構成の遮音耐火二層管を提案したものである。
【課題を解決するための手段】
【０００７】
本発明に係る遮音耐火二層管は、合成樹脂製内管と繊維混入モルタル製外管で構成される耐火二層管において、外管表面全周に継ぎ目なしで外管と一体化した遮音被覆層（単一遮音層又は下部吸音層と上部遮音層の二重被覆層）を設けてなることを特徴とするものである。
【０００８】
また本発明に係る遮音耐火二層管の製造方法は、合成樹脂製内管に、別に製造した繊維混入モルタル製外管を被冠外装して二重管とし、前記内管と外管との間にスライド移動阻止の処置を施した状態のまま長尺物樹脂被覆装置に送り込み、当該装置を使用して外管全周に単一遮音層又は下部吸音層と上部遮音層の二重被覆層からなる遮音被膜層を連続的に形成し、遮音被膜層が施された管を冷却して前記遮音被膜層を完全に硬化させて、外管全長全周表面に遮音被膜層を一体形成してなる
【０００９】
而して耐火二層管を内外管が仮固定状態（スライド阻止状態）のままで、高比重の遮音主材と被膜形成用樹脂材が供給されている長尺物樹脂被覆装置に、一方の端部から送り込むと、当該装置の押出口（ダイス）から前記遮音主材が樹脂材によって被膜化されて外管を被覆した状態で送出され、直ぐに冷却することで樹脂材が硬化して外管の外周面に積層状態で単一遮音層が一体形成されるものである。また先に例えば長尺物樹脂被覆装置でウレタン樹脂等を使用して下部吸音層を形成した後、当該下部吸音層の表面に上部遮音層を形成する。或いは上部遮音層と下部吸音層を同時に被覆形成するようにしても良い。
【発明の効果】
【００１０】
本発明は上記のとおりで、外管全表面に遮音被膜層を一体形成したものであるから、遮音シートを別に形成して、この遮音シートを外管に捲装する作業を行うことなく、容易に耐火二層管に遮音機能を備えさせることができると共に、従前の耐火二層管と全く同様に内外管の長さ調整が容易に行え、更に遮音層が外管に一体に積層されており、シート採用時のような継ぎ目（重ね箇所）が存在しないので運搬中及び作業中において剥離する虞が無い遮音耐火二層管を提供できたものである。
【図面の簡単な説明】
【００１１】
【図１】本発明の実施形態の一部裁断正面図（一部省略）。
【図２】本発明方法の説明図。
【図３】同別例図。
【発明を実施するための形態】
【００１２】
次に本発明の実施形態について説明する。耐火二層管Ａは従前と同様に内管１と外管２から構成され、実施形態は、前記耐火二層管Ａの外管２の全周面に、単一遮音層で構成した遮音被覆層３を設けた例である。
【００１３】
内管１は、適宜な長さ（所定の規格寸法）の硬質塩ビ管で、外管２は、内管１よりも接続代の分だけ短く、且つ内径が内管外径よりも僅かに大きくしたもので、一般的に繊維入りモルタルで形成されており、外管２内に内管１をスライド自在に挿入しているものである。
【００１４】
遮音耐火二層管Ｂは、前記内外管１，２で構成される耐火二層管Ａに遮音機能を付与するために、外管２の全外周面に遮音被覆層（単一遮音層）３を一体に設けたものである。
【００１５】
この遮音耐火二層管Ｂの製造には、長尺物樹脂被覆装置４を使用する。前記装置４は熱可塑性樹脂材を供給して溶融状態（柔軟な変形自在の状態）とし、通過する長尺物（管体）の全周面に対して押し出し成型によって樹脂被膜を施す装置で、長尺物樹脂被覆装置４に対しては、耐火二層管Ａを送り込む押し出しコンベア５と、被膜冷却（樹脂硬化）する冷却部６と取出し用コンベア７が配置され使用する。
【００１６】
特に長尺物樹脂被膜装置４を使用して遮音被覆層３を形成する材料ａは、例えば高比重で遮音機能を担う遮音主材として、重量比で硫酸バリウム５２±５％、炭酸カルシュウム２２±５％とし、前記主材を被膜化する樹脂主材としてポリ塩化ビニール１３±２％及び可塑剤（フタル酸）８±２％、改質剤（塩素化ポリエチレン）２．５％、接着機能剤（アクリル重合体：ＡＣＲ−４０１）０．５％、安定剤１％、顔料０．５％を使用し、長尺物樹脂被膜装置４に供給する。
【００１７】
耐火二層管Ａは、内管１と外管２の間に空隙があるのでスライド自在化の構造である。そこで通常の耐火二層管Ａの運搬作業に使用するスライド阻止処理（例えば内管端部に輪ゴムを装着する、接着剤によるストッパーを形成する）を施した状態で、押し出しコンベアで耐火二層管Ａを長尺方向から長尺物樹脂被覆装置４に押し込む。
【００１８】
長尺物樹脂被覆装置４では、遮音被覆層３の形成材料ａを混合加熱して泥状としているので、耐火二層管Ａは、前記装置４を通過することで、押し出し成型によって表面全周に遮音被覆層３の被膜ｃ（厚さ０．５〜３ｍｍ）が形成されて押し出されてくる。
【００１９】
そして直ぐに冷却水ｂの供給を受けた冷却部６を通過させて、被膜ｃを硬化させて遮音被覆層３に形成し、これによって耐火二層管Ａが遮音耐火二層管Ｂとなるものである。
【００２０】
尚本発明は、遮音被覆層３の構成成分は任意であり、高比重の遮音機能を備える主材の種別及び量は任意であり、被膜形成のため樹脂材も任意に選択採用できるものである。
【００２１】
更に耐火二層管Ａの外管２の全表面に、前記に示した実施形態のように単一遮音層３を形成する他、二重被膜層３ａを設けるようにした遮音耐火二層管Ｂ１としても良い（図３）。例えば長尺物樹脂被覆装置４を以て、吸音機能を備えた樹脂（例えば耐熱ウレタン樹脂）で下部吸音層３２を形成した後、再度別の長尺物樹脂被覆装置を使用して、上部遮音層３１を形成することもできるし、或いは被覆樹脂を選択することで、二重口金（ダイス）を備えた単一の長尺物樹脂被覆装置を用いて、上下樹脂層を同時に形成することも理論上可能である。
【符号の説明】
【００２２】
Ａ    耐火二層管
Ｂ，Ｂ１  遮音耐火二層管
１    内管
２    外管
３    遮音被覆層（単一遮音層）
３ａ  遮音被覆層（二重被覆層）
３１    上部遮音層
３２    下部吸音層
４    長尺物樹脂被覆装置
５    押し出しコンベア
６    冷却部
７    取出し用コンベア
【図１】
2017190833.tif 000003
【図２】
2017190833.tif 000004
【図３】
2017190833.tif 000005